(57)【特許請求の範囲】
【請求項１】
桟瓦が千鳥葺きされかつ勾配を有する屋根を備える建物の瓦屋根構造であって、
前記建物の単位寸法は、尺寸モジュールに基づく寸法であり、
前記桟瓦は、所定の働き幅と所定の働き長さとを有し、
前記所定の働き幅の単位寸法は、前記尺寸モジュールに基づく長さであり、
前記所定の働き長さは、前記所定の働き幅の５／６倍に前記勾配の勾配伸び率を乗じた長さであり、
前記建物の外壁側から前記建物の大棟までの水平寸法が、前記所定の働き幅の１/２の整数倍となる寸法であり、
前記桟瓦は前記屋根の下方向から上方向に向かって連続して葺設され、前記屋根の上端には前記桟瓦とは異なる調整瓦が葺設され、
前記屋根の上下方向に沿った前記調整瓦の働き長さと前記所定の働き長さとの差が、前記所定の働き幅の１／６の整数倍に前記勾配の勾配伸び率を乗じた長さである瓦屋根構造。
【請求項２】
前記勾配伸び率は、前記屋根の勾配に応じた勾配と前記瓦の戻り勾配とに基づいて算出される勾配伸び率であり、前記調整瓦の前記働き長さと前記所定の働き長さとの差が、前記所定の働き幅の１／６の整数倍に当該勾配伸び率を乗じた長さである請求項１に記載の瓦屋根構造。
【請求項３】
前記建物の前記屋根は寄棟屋根であって、
前記調整瓦の前記働き長さと前記所定の働き長さとの差が、前記所定の働き幅の１／６倍、２／６倍、３／６倍、４／６倍に前記勾配伸び率を乗じた長さである請求項１又は請求項２に記載の瓦屋根構造。
【発明の詳細な説明】
【技術分野】
【０００１】
本発明は、建物の屋根に瓦を葺く現場において施工性等の作業性を向上させる瓦屋根構造に関する。
【背景技術】
【０００２】
従来、屋根を葺く為の瓦は、桟瓦等の複数種類の瓦を用いて葺設していた。屋根は、一般的には、最下端と上端と左側の側縁と右側の側面とからなる。瓦を葺く際には、例えば、屋根の右側の側面の最下端から順に左方向に向かっていわゆる桟瓦を葺いていく。左側の側縁に達したときには、左側の側面との間隙に適合する瓦を葺く。次に、上段を右側の側縁から順に左方向に向かって桟瓦を葺いていく。同様にして上端まで葺いていく。この場合、いわゆる千鳥葺きになるように瓦を葺いていく。
【０００３】
従来技術では、瓦を葺くための屋根面には、瓦の大きさと瓦の葺設状態に応じた三角領域が形成される。三角領域とは、一般に、屋根に沿った水平方向を底辺とし、屋根に沿った垂直方向を高さとする三角形の領域である。従来技術では、三角領域における斜辺に対応する斜辺部を備える隅瓦又は谷瓦を規格化して規格瓦として予め形成しておき、規格瓦を屋根の隅棟又は谷に沿って配置する瓦屋根構造が提案されている。
【先行技術文献】
【特許文献】
【０００４】
【特許文献１】特開平１１−１９９６号公報
【発明の概要】
【発明が解決しようとする課題】
【０００５】
上記の従来技術では三角領域に基づいた斜辺部を備える規格瓦によって屋根の最下段から上端までを順に葺いていく。しかしながら、上端に達したときには、屋根の大きさや形状によっては、予め規格化されている種類の規格瓦では対応することができなかった。この場合には、葺設を行う現場で葺設作業の最終段階（屋根の上端）にあった瓦形状にするための切断等の加工作業が必要となる。この加工作業は非常に面倒であるばかりか熟練を要するので、葺設作業の最終段階において作業性が著しく低下するという課題があった。
【０００６】
そこで、本発明は、上記事情に鑑みてなされたものであり、瓦の大きさに対応した三角領域を瓦の葺設状態をもとに屋根面に設定した状態でも、葺設作業の最終段階（屋根の上端）における葺設において切断等の加工作業を不要とし、葺設作業の作業効率を高めることができる屋根構造を提供することを目的とする。
【課題を解決するための手段】
【０００７】
上記課題を解決するために、本発明の瓦屋根構造は、桟瓦が千鳥葺きされかつ勾配を有する屋根を備える建物の瓦屋根構造であって、前記建物の単位寸法は、尺寸モジュールに基づく寸法であり、前記桟瓦は、所定の働き幅と所定の働き長さとを有し、前記所定の働き幅の単位寸法は、前記尺寸モジュールに基づく長さであり、前記所定の働き長さは、前記所定の働き幅の５／６倍に前記勾配の勾配伸び率を乗じた長さであり、前記建物の外壁側から前記建物の大棟までの水平寸法が、前記所定の働き幅の１/２の整数倍となる寸法であり、前記桟瓦は前記屋根の下方向から上方向に向かって連続して葺設され、前記屋根の上端には前記桟瓦とは異なる調整瓦が葺設され、前記屋根の上下方向に沿った前記調整瓦の働き長さと前記所定の働き長さとの差が、前記所定の働き幅の１／６の整数倍に前記勾配の勾配伸び率を乗じた長さであることを特徴とする。
【発明の効果】
【０００８】
本発明によれば、働き幅の１／６の整数倍の寸法を有する瓦によって細やかな調整を行うことができるので、葺設作業の最終段階における切断等の加工作業を不要とし、葺設作業の作業効率を高めることができるという効果を奏する。
【図面の簡単な説明】
【０００９】
【図１】本実施形態に係る瓦屋根構造の全体を示す平面図である。
【図２】本実施形態に係る瓦屋根構造の一部を拡大した平面図である。
【図３】本実施形態に係る瓦（第１の瓦）を示す説明図である。
【図４】本実施形態に係る第１態様の瓦を示す説明図である。
【図５】本実施形態に係る第２態様の瓦を示す説明図である。
【図６】本実施形態に係る第３態様の瓦を示す説明図である。
【図７】本実施形態に係る上下方向（流れ方向）の葺設方法を示す説明図である。
【図８】本実施形態に係る勾配伸び率と瓦の全長を示す説明図である。
【図９】本実施形態に係る勾配伸び率と瓦の全長を示す説明図である。
【図１０】本実施形態に係る勾配伸び率と瓦の全長を示す説明図である。
【図１１】本実施形態に係る第１態様の瓦の適用例を示す説明図である。
【図１２】本実施形態に係る第１態様の第１の瓦の適用例を示す説明図である。
【図１３】本実施形態に係る第１態様の第４の瓦の適用例を示す説明図である。
【図１４】本実施形態に係る第１態様の第２の瓦の適用例を示す説明図である。
【図１５】本実施形態に係る第１態様の第５の瓦の適用例を示す説明図である。
【図１６】本実施形態に係る第１態様の第３の瓦の適用例を示す説明図である。
【図１７】本実施形態に係る第２態様の瓦の適用例を示す説明図である。
【図１８Ａ】本実施形態に係る第２態様の第１の瓦と第２の瓦の適用例を示す説明図である。
【図１８Ｂ】本実施形態に係る第２態様の第３の瓦と第４の瓦の適用例を示す説明図である。
【図１８Ｃ】本実施形態に係る第２態様の第５の瓦と第６の瓦の適用例を示す説明図である。
【図１８Ｄ】本実施形態に係る第２態様の第１の瓦の適用例を示す説明図である。
【図１９】本実施形態に係る第３態様の瓦の適用例を示す説明図である。
【発明を実施するための形態】
【００１０】
以下、図面を参照しながら、本発明の好適な実施の形態について詳細に説明する。なお、本明細書及び図面においては、同一の符号が付された構成要素は、実質的に同一の構造または機能を有するものとする。
【００１１】
＜＜＜瓦屋根構造１の全体構成＞＞＞
【００１２】
＜＜屋根の構造の概略＞＞
図１を参照しながら、本実施形態に係る瓦屋根構造が用いられる屋根の構造について説明する。図１は、本実施形態に係る屋根の全体を示す平面図である。
【００１３】
屋根の構造には、寄棟屋根や切妻屋根などの種類がある。図１に示す屋根１００は、一例として寄棟屋根の全体を示す平面図である。寄棟屋根は、屋根１００の最上部である大棟１０２から４方向に屋根が分かれている屋根である。図１に示すように、屋根１００は、４つの屋根部１１０ａ〜１１０ｄを有する。屋根部１１０ａ及び１１０ｂは、略台形状の形状を有し、屋根部１１０ｃ及び１１０ｄは、略三角形状の形状を有する。以下では、特に区別する必要がない場合には、４つの屋根部１１０ａ〜１１０ｄを、単に屋根部１１０と称する。
【００１４】
なお、図１に示す屋根１００では、屋根部１１０ａは、瓦２０２が葺かれた状態を示し、屋根部１１０ｂ〜１１０ｄは、瓦２０２が未だ葺かれておらず、屋根１００の下地材４００００が露出した状態を示す。
【００１５】
大棟１０２は、屋根の最上部となる頂部である。屋根１００は、大棟１０２を挟んで、屋根部１１０ａ及び１１０ｂとが向かい合い、屋根部１１０ｃ及び１１０ｄとが向かい合うように構成される。４つの屋根部１１０ａ〜１１０ｄは同じ屋根勾配を有する。屋根勾配とは、屋根部１１０ａ〜１１０ｄの傾きである。屋根勾配については、後で詳述する。
【００１６】
さらに、図１に示すように、屋根１００は、４つの軒先部１１２ａ〜１１２ｄと、４つの隅棟部１１４ａ〜１１４ｄとを有する。
【００１７】
軒先部１１２ａは、屋根部１１０ａの最下端をなす。軒先部１１２ｂは、屋根部１１０ｂの最下端をなす。軒先部１１２ｃは、屋根部１１０ｃの最下端をなす。軒先部１１２ｄは、屋根部１１０ｄの最下端をなす。４つの軒先部１１２ａ〜１１２ｄによって、屋根１００の外形は、平面視で略長方形の形状となる。以下では、特に区別する必要がない場合には、４つの軒先部１１２ａ〜１１２ｄを単に軒先部１１２と称する。
【００１８】
隅棟部１１４ａは、屋根部１１０ａと１１０ｃとの境界をなす。隅棟部１１４ｂは、屋根部１１０ｂと１１０ｃとの境界をなす。隅棟部１１４ｃは、屋根部１１０ｄと１１０ｂとの境界をなす。隅棟部１１４ｄは、屋根部１１０ｄと１１０ａとの境界をなす。なお、４つの隅棟部１１４ａ〜１１４ｄの傾きを隅勾配と称する。以下では、特に区別する必要がない場合には、４つの隅棟部１１４ａ〜１１４ｄを単に隅棟部１１４と称する。
【００１９】
４つの屋根部１１０ａ〜１１０ｄは、下地材４００（図１の屋根部１１０ｂ〜１１０ｄ及び図７参照）を有する。下地材４００に瓦２０２が取り付けられることで（図１の屋根部１１０ａ参照）、４つの屋根部１１０ａ〜１１０ｄは、瓦が葺かれた状態となる。
【００２０】
＜桁方向及び流れ方向＞
屋根１００では、軒先部１１２に沿った水平方向を「桁方向」と称する（図１の矢印Ｘ参照）。また、大棟１０２から軒先部１１２に向かう下斜め方向を「流れ方向」と称する（図２及び図７の矢印Ｔ参照）。
【００２１】
なお、図１は、屋根の全体を示す平面図であり、後述する図２は、屋根部１１０の一部を拡大して示す平面図である。言い換えれば、図１は、屋根の全体を水平面に投影した水平投影面を示し、図２は、屋根部１１０の一部を水平面に投影した水平投影面を示す。
【００２２】
＜建物の単位寸法＞
建物本体だけでなく、屋根についても、所定の単位寸法（モジュール）が適用される。建物の単位寸法とは、建物を建てるときに基準にする長さの単位である。建物の単位寸法には、尺寸モジュールとメーターモジュールとがある。尺寸モジュールでは、３尺が基本の長さの単位であり、３尺の１／３の１尺や１／４の０．７５尺が一般的によく使われる。また、メーターモジュールでは、１メートルが基本の長さの単位であり、１メートルの１／３の３３０ｍｍや１／４の２５０ｍｍが一般的によく使われる。
【００２３】
＜＜瓦２０２の概略＞＞
上述したように、屋根部１１０ａ〜１１０ｄには瓦２０２が葺かれる。以下では、瓦２０２について説明する。
【００２４】
＜瓦の種類及び規格＞
瓦の種類は、日本工業規格（ＪＩＳ）によって製法、形状、寸法によって分類されている。例えば、形状で分類した場合には、Ｊ形瓦、Ｓ形瓦、Ｆ形瓦の三種類がある。さらに、Ｊ形瓦には、桟瓦、半瓦、袖瓦、冠瓦等があり、これらは、和風な住宅に使用されることが多い和瓦である。Ｓ形瓦は、ヨーロッパから伝わってきた瓦をモチーフにした瓦である。Ｆ形瓦は、おおよそ平坦な形状をした平板瓦である。本実施形態に係る瓦２０２としては、例えば、日本工業規格（ＪＩＳ）  Ｆ形の規格寸法に準じて設計されたＦ形桟瓦である。なお、Ｆ形桟瓦には限られず、他の規格の瓦を用いてもよい。
【００２５】
＜瓦２０２の構成＞
図３は、本実施形態に係る瓦２０２の概略を示す図である。図３（ａ）は、瓦２０２の平面図を示し、図３（ｂ）は、瓦２０２の正面図を示し、図３（ｃ）は、瓦２０２の背面図を示し、図３（ｄ）は、瓦２０２の右側面図を示し、図３（ｅ）は、瓦２０２の左側面図を示す。
【００２６】
図３（ａ）〜図３（ｅ）に示すように、瓦２０２は、全体として平坦な略長方形状の形状を有する。なお、図３（ａ）において、紙面の左右の方向を瓦２０２の横方向と称し、紙面の上下の方向を瓦２０２の縦方向と称する。瓦２０２を葺いた状態では、横方向が桁方向に対応し、縦方向が流れ方向に対応する。瓦２０２は、縦方向の全長ＬＥを有する。
【００２７】
瓦２０２の縦方向の下側に頭側２２８を有し、縦方向の上側に尻側２２４を有する。後述するように、頭側２２８は、瓦２０２を葺いた状態で流れ方向の下側に隣接する瓦２０２の尻側２２４を覆う部分である。言い換えれば、尻側２２４は、瓦２０２を葺いた状態で流れ方向の上側に隣接する瓦２０２の頭側２２８によって覆われる部分である（図２及び図７参照）。
【００２８】
瓦２０２は、頭側２２８には、瓦２０２の端部を形成する先頭部２３１と、瓦表面２２３に対して略直角に形成された先端部２３２とを有する。先端部２３２は、先頭部２３１に滑らかに接続されており、先頭部２３１及び先端部２３２によって、瓦２０２を葺いた状態で、上側に位置する瓦２０２を流れる雨などの液体を、下側に位置する瓦２０２に安定して案内することができる。
【００２９】
瓦２０２は、横方向の右側に形成された桟２２１を有し、横方向の左側に差込み部２２２を有する。後述するように、桟２２１は、瓦２０２を葺いた状態で桁方向の右側に隣接する瓦２０２の差込み部２２２を覆う部分である。言い換えれば、差込み部２２２は、瓦２０２を葺いた状態で桁方向の左側に隣接する瓦２０２の桟２２１によって覆われる部分である。瓦２０２の右側には右側端部２４１が形成されており、差込み部２２２には、段差部２４３が形成されている。瓦２０２を葺いた状態では、左側に隣接する瓦２０２の右側端部２４１と、右側に隣接する瓦２０２の段差部２４３とが密着するように配置される（図２参照）。
【００３０】
瓦２０２は、尻側２２４に設けられて上方向に突出する係合突起２２５を有するとともに、差込み部２２２の端部に設けられた差込み係合部２２６を有する。
【００３１】
流れ方向の下側に位置している瓦２０２から突出する係合突起２２５に、流れ方向の上側に位置づけようとしている瓦２０２の差込み係合部２２６が係合するようにして、瓦２０２を配置することができる。係合突起２２５は、尻側２２４の横方向の略中央に形成されている。また、差込み係合部２２６は、差込み部２２２の端部に形成されている。この係合突起２２５に差込み係合部２２６を係合させることで、上側に位置する瓦２０２の端部が、下側に位置する瓦２０２の桁方向（横方向）の略中央に位置するように、すなわち、千鳥葺きにすることができる。なお、千鳥葺きについては、後で詳述する。
【００３２】
尻側２２４には、瓦２０２の端部を形成する後頭部２３３と、瓦表面２２３に対して略直角に形成された尻端２３４とを有する。尻端２３４を桟木５００に係合させることによって、瓦２０２を桟木５００に下地材４００に係止させることができる（図７参照）。
【００３３】
尻側２２４には、２つの釘穴２２７が桁方向に沿って形成されている。釘穴２２７は、貫通孔であり、瓦２０２を下地材４００に設置した後に、釘もしくはビスを釘穴２２７を介して下地材４００に打ち込むことで、下地材４００に瓦２０２を固定することができる。また、軒先に瓦２０２を固定する場合や、瓦２０２に雪止め金具を取り付ける場合には、２つの釘穴２２７の双方を使って釘又はビスを下地材４００に打ち込むことができる。
【００３４】
瓦２０２は、瓦２０２を葺いた状態で露出する表面、すなわち、降雨を受ける表面（以下、瓦表面２２３と称する）を有する。瓦表面２２３は略平坦に形成されている。瓦表面２２３については、後で詳述する。
【００３５】
＜瓦２０２の葺設の手順＞
図７に示すように、屋根部１１０は、所定の屋根勾配を有するように形成されている。屋根部１１０には、下地材４００が屋根部１１０に沿って設けられている。また、図１の屋根部１１０ｂ〜１１０ｄに示すように、下地材４００には、桁方向に沿って複数本の桟木５００が取り付けられている。
【００３６】
桟木５００が取り付けられる位置は、屋根勾配に応じて決定される。この桟木５００の本数によって、瓦２０２を葺設する段数が決定される。例えば、図１に示す例では、７本の桟木５００が下地材４００に取り付けられており、瓦２０２は流れ方向に沿って７段で屋根部１１０に葺設される。図７に示すように、瓦２０２の尻端２３４が桟木５００によって係止されるように、瓦２０２を葺設する。
【００３７】
なお、以下に説明する葺設の手順は、一例であり、このような順序には限られない。使用する瓦の種類などに応じて適切な手順で葺設することができる。
【００３８】
瓦２０２を葺設する手順としては、まず、軒先部１１２（図１参照）に最も近い最下段から開始する。最下段の桁方向の右側から左側に向かって順に瓦２０２を１枚ずつ葺設する。最下段に全ての瓦２０２を葺設した後には、最下段の上側に隣接する次の段に瓦２０２を葺設する。最下段と同様に桁方向の右側から左側に向かって順に瓦２０２を１枚ずつ葺設する。このように、最下段から開始して流れ方向に沿って大棟１０２に到達するまで１段ずつ上側の段に瓦２０２を葺設していく。
【００３９】
図７に示すように、瓦２０２の尻端２３４が桟木５００に係合するように瓦２０２を配置する。瓦２０２を葺くときに、桁方向については、左側に位置させる瓦２０２の桟２２１が、右側に位置している瓦２０２の差込み部２２２に覆うように、かつ、左側に位置させる瓦２０２の右側端部２４１が、右側に位置している瓦２０２の段差部２４３に当接するように配置する。このようにすることで、桁方向に沿って隣り合う瓦を互いに密着するように葺設することができる
【００４０】
また、流れ方向については、図７に示すように、上側に位置させる瓦２０２の頭側２２８が、下側に位置している瓦２０２の尻側２２４を覆うようにして葺設する。さらに、上側に位置させる瓦２０２の差込み係合部２２６が、下側に位置している瓦２０２の係合突起２２５に係止される位置に、上側に位置させる瓦２０２を位置づける（図２参照）。このようにすることで、いわゆる千鳥葺きにして瓦２０２を葺設することができる。
【００４１】
＜千鳥葺き＞
図１及び図２に示すように、本実施の形態では、瓦２０２をいわゆる千鳥葺きで葺く。千鳥葺きは、桁方向に沿ったある一の段に並べられている瓦２０２に対して、一の段に隣接する上側の段又は下側の段では、瓦２０２を桁方向に瓦２０２の半分ずらして並べる葺き方である。したがって、上側に位置する瓦２０２の端部は、その下側に隣接する瓦２０２の桁方向の略中央に位置することになる。このように上下に隣接する段で交互に瓦２０２を互い違いにずらして葺設する態様を、一般的に「千鳥葺き」と称する。千鳥葺きは、防水性（排水性）や耐風性の面で有利であるとされている。
【００４２】
＜働き幅Ｗ、働き長さＬ、全長ＬＥ＞
図２に示すように、瓦２０２は、葺設された状態では、上側に位置させる瓦２０２の頭側２２８が、下側に位置している瓦２０２の尻側２２４を覆う。したがって、瓦２０２の頭側２２８よって覆われた部分を除いて露出する表面が、降雨を受ける面であり、この面を瓦表面２２３と称する（図３参照）。瓦２０２の全長ＬＥは、瓦表面２２３に沿った縦方向の全長である（図３（ｄ）参照）。
【００４３】
この瓦表面２２３の横方向に沿った長さを働き幅Ｗ（図２参照）と称し、瓦表面２２３の縦方向に沿った長さを働き長さＬと称する。図２及び図３に示すように、瓦表面２２３は、働き幅Ｗと働き長さＬとによって画定される領域である。図３（ａ）に示した破線が、働き長さＬで規定される領域の上側の境界を示す。
【００４４】
なお、図７に示すように、働き長さＬは、おおよそ屋根部１１０（下地材４００）に沿った長さとなる。働き幅Ｗは一定であるが、働き長さＬは、上側に位置する瓦２０２の頭側２２８によって覆われる領域に応じて定まる。図７に示すように、上側の瓦２０２の頭側２２８と下側の瓦２０２の尻側２２４とが重なる長さをＬ２とする。Ｌ２は、Ｌ及びＬＥと同様に、瓦表面２２３に沿った縦方向に沿った長さである。したがって、瓦２０２の瓦表面２２３に沿った縦方向については、Ｌ＝ＬＥ（全長）−Ｌ２が成立する。後述するように、働き長さＬは、屋根部１１０の屋根勾配が小さい場合には、短くなり、屋根部１１０の屋根勾配が大きい場合には、長くなる。
【００４５】
＜戻り勾配＞
図７に示すように、瓦２０２を屋根部１１０に葺いた状態では、下側に位置する瓦２０２の尻側２２４の上に、上側に隣接する瓦２０２の頭側２２８が重なる。このため、瓦２０２自体が傾斜し、瓦２０２の瓦表面２２３は、屋根の下地材４００とは異なる傾きを有する。
【００４６】
図８は、図７に示す状態を、仮想的に下地材４００を水平にして瓦２０２を示す図である。図８に示すように、下側に位置する瓦２０２（紙面の左側に位置する瓦２０２）の尻側２２４の上に、上側に隣接する瓦２０２（紙面の右側に位置する瓦２０２）の頭側２２８が重なり、瓦２０２自体が傾斜し、瓦２０２は、屋根の下地材４００とは異なる傾きを有する。この瓦２０２の傾きを、「戻り勾配」と称する。すなわち、戻り勾配とは、瓦２０２が葺かれた状態のときに生ずる瓦２０２の瓦表面２２３の勾配である。
【００４７】
例えば、図８に示すように、水平の下地材４００に瓦２０２を並べた状態では、本実施の形態の瓦２０２の瓦表面２２３の水平面に対する角度は６．６度となる。底辺の長さを１０した場合の高さは１．１６であり、戻り勾配は１．１６／１０となる。
【００４８】
さらに、葺設された瓦２０２の瓦表面２２３の勾配と、水平面との関係を考察する際には、屋根部１１０（下地材４００）の屋根勾配と瓦２０２の戻り勾配との双方の勾配を考慮する必要がある。図９に示す例のように、屋根部１１０（下地材４００）の屋根勾配が４．５／１０であり、瓦２０２の戻り勾配が１．１６／１０である場合には、瓦２０２が屋根部１１０に葺かれた状態の瓦２０２の瓦表面２２３の勾配は、４．５／１０−１．１６／１０＝３．３４／１０となる。
【００４９】
＜勾配伸び率＞
勾配伸び率とは、水平方向（底辺）の長さを１としたときの底辺に対する屋根部１１０（下地材４００）の流れ方向（斜辺）の長さである。例えば、底辺の長さが１０であり、高さが４．５である場合には、屋根勾配は４．５／１０となる。この場合に、底辺の長さを１とすると、斜辺の長さは約１．０９７となる。この斜辺の長さが勾配伸び率であり、勾配伸び率は、約１．０９７である。
【００５０】
さらに、屋根部１１０（下地材４００）の屋根勾配だけでなく、瓦２０２の戻り勾配を考慮する場合には、上述したように、屋根部１１０（下地材４００）の屋根勾配が４．５／１０であり、瓦２０２の戻り勾配が１．１６／１０であり、瓦２０２の瓦表面２２３の勾配は、４．５／１０−１．１６／１０＝３．３４／１０となる。瓦２０２の戻り勾配を考慮した場合の勾配伸び率は、以下のように、１．０５となる。
【数１】
0005959128.tif 000002
したがって、葺設された瓦２０２の瓦表面２２３の勾配と水平面との関係を、戻り勾配を含めて考察する際には、この勾配伸び率１．０５を用いればよい。
【００５１】
＜水平投影寸法Ｌｈ＞
上述したように、働き長さＬは、上側の瓦２０２と下側の瓦２０２とが重なる部分を除いて露出する瓦表面２２３の縦方向の長さであり、瓦２０２が葺設された状態においても瓦表面２２３に沿う長さである。この働き長さＬを水平面に射影したときの長さを水平投影寸法Ｌｈと称する（図７参照）。後述するように、屋根勾配が異なる屋根部に瓦２０２の葺設する場合であっても、水平投影寸法Ｌｈを一定にすることで、瓦２０２の葺設の工程の検討を容易にすることができる。具体的には、働き長さＬと水平投影寸法Ｌｈとの関係は、上述した勾配伸び率１．０５を用いればよい。
【００５２】
上述したように、図２は、屋根部１１０の一部を水平面に投影した水平投影面である。図２は、水平投影面であり、水平投影寸法Ｌｈを用いて瓦２０２の葺設の状態を示すことできる。
【００５３】
＜三角領域＞
図１及び図２に示すように、水平投影面に投影した屋根部１１０について、仮想的な直角二等辺三角形状の領域（以下、三角領域と称する）を想定する。三角領域は、底辺をなす底辺部と、底辺部に対して垂直をなす垂直部とを有する。底辺部と垂直部とは同じ長さである。また、底辺部と垂直部との間の角は直角であり、直角は三角領域の斜辺部と向かい合う。底辺部と垂直部と斜辺部とは、いずれも水平面内に含まれる。本実施の形態では、三角領域は、底辺部の長さを働き幅Ｗの２．５倍とし、垂直部の長さを瓦２０２の水平投影寸法Ｌｈの３倍とした大きさを有する。すなわち、２．５×働き幅Ｗ＝３×水平投影寸法Ｌｈとなる。
【００５４】
本実施の形態では、三角領域について２．５×働き幅Ｗ＝３×水平投影寸法Ｌｈを満たすように、瓦２０２を屋根部１１０に配置する。この関係には、屋根部１１０の屋根勾配や瓦２０２の戻り勾配は含まれていない。したがって、働き幅Ｗが一定であれば、屋根部１１０の屋根勾配や瓦２０２の戻り勾配を考慮することなく、水平投影寸法Ｌｈを一定にでき、水平投影寸法Ｌｈを基準にできる。このように、本実施の形態では、水平投影寸法Ｌｈを一定にするので、屋根部１１０の屋根勾配が小さい場合には、働き長さＬは短くなり、屋根部１１０の屋根勾配が大きい場合には、働き長さＬは長くなる。
【００５５】
水平投影寸法Ｌｈから働き長さＬを定める場合には、屋根部１１０（下地材４００）の屋根勾配と瓦２０２の戻り勾配との双方の勾配を考慮した勾配伸び率、例えば、１．０５を用いればよい。
【００５６】
＜建物の単位寸法と働き幅Ｗ及び水平投影寸法Ｌｈ＞
上述したように、本実施の形態では、２．５×働き幅Ｗ＝３×水平投影寸法Ｌｈを満たすように、瓦２０２を屋根部１１０に配置する。言い換えれば、水平投影寸法Ｌｈ＝（５／６）×働き幅Ｗを満たすように、瓦２０２を屋根部１１０に配置する。例えば、建物の単位寸法として尺寸モジュールを採用している場合には、建物の大棟１０２から外壁６０１までの水平寸法ＬＡ（図１２参照）も、尺寸モジュールによって決定される。さらに、瓦２０２も尺寸モジュールを採用している場合には、働き幅Ｗも尺寸モジュールによって決定される。また、例えば、建物の単位寸法としてメーターモジュールを採用している場合には、建物の片側の外壁６０１から他側の外壁６０２までの水平寸法ＬＢ（図１７参照）も、メーターモジュールによって決定される。
【００５７】
このように、水平寸法ＬＡと働き幅Ｗとが尺寸モジュールによって規定できる場合には、働き幅Ｗの半分の長さ（Ｗ／２）によって水平寸法ＬＡを決定できる。すなわち、ＬＡ＝ｎ×Ｗ／２としてＬＡを決定できる。この場合に、軒先部１１２から大棟１０２に向かって水平投影寸法Ｌｈを有する瓦２０２を順に葺いていくと、大棟１０２の近くで、水平寸法ＬＡに応じて、水平方向に関して水平投影寸法Ｌｈとは異なる間隙Δが生ずる場合がある。この水平方向の間隙Δの領域は、水平投影寸法Ｌｈとは異なるために、瓦２０２で葺くことができない。
【００５８】
水平方向の間隙Δは、働き幅Ｗの６分の１の整数倍になる。例えば、
【数２】
0005959128.tif 000003
などのように算出することができる。ここで、ｍ及びｎは、いずれも自然数である。Ｗは働き幅Ｗである。
【００５９】
したがって、瓦２０２の縦方向の長さを働き幅Ｗの６分の１の整数倍で規定した長さを有する瓦を準備することで、水平方向の間隙Δが生じた場合でも、間隙Δに応じた瓦を葺くことができる。
【００６０】
＜瓦＞
例えば、瓦２０２の働き幅Ｗが３０３ｍｍである場合には、働き幅Ｗ×１／６＝５０．５ｍｍとなり、図１０に示すように、水平投影寸法で５０．５ｍｍずつ異ならしめた複数の瓦を準備すればよい。さらに、屋根勾配が４．５／１０であり、瓦２０２の戻り勾配が１．１６／１０である場合には、勾配伸び率１．０５であり、水平投影寸法の５０．５ｍｍに勾配伸び率１．０５を乗ずることで、瓦２０２の瓦表面２２３の縦方向に沿った長さは５３ｍｍとなる。したがって、瓦２０２の瓦表面２２３の縦方向に沿った長さが５３ｍｍずつ異なる複数の瓦を準備すればよい。
【００６１】
＜＜瓦について＞＞
＜第１態様の瓦＞
図４（ａ１）〜（ａ５）は、本実施形態に係る第１態様の５種類の瓦を示す平面図（各々の左側）と右側面図（各々の右側）とである。図４（ａ１）は、瓦２０２（以下、第１の瓦２０２と称する）を示し、図４（ａ２）は、第２の瓦２０４を示し、図４（ａ３）は、第３の瓦２０６を示し、図４（ａ４）は、第４の瓦２０８を示し、図４（ａ５）は、第５の瓦２１０を示す。
【００６２】
なお、図４（ａ２）〜図４（ａ５）の上側は、第１の瓦２０２の大きさとの対比を容易にするために、第１の瓦２０２を含めて第２の瓦２０４〜第５の瓦２１０を示した平面図である。また、図４（ａ１）〜図４（ａ５）の下側は、第１の瓦２０２〜第５の瓦２１０の全体を示す平面図である。
【００６３】
第１の瓦２０２では、働き幅Ｗが同じ３０３ｍｍで、縦方向の全長が３５２ｍｍである。第２の瓦２０４では、働き幅Ｗが同じ３０３ｍｍで、縦方向の全長が２９９ｍｍである。第３の瓦２０６では、働き幅Ｗが同じ３０３ｍｍで、縦方向の全長が２４６ｍｍである。第４の瓦２０８では、働き幅Ｗが同じ３０３ｍｍで、縦方向の全長が１９３ｍｍである。第５の瓦２１０では、働き幅Ｗが同じ３０３ｍｍで、縦方向の全長が１４０ｍｍである。このように、第１の瓦２０２〜第５の瓦２１０は、同じ働き幅Ｗ３０３ｍｍを有する。
【００６４】
第１の瓦２０２の縦方向の全長と第２の瓦２０４の流れ方向の全長との差は、５３ｍｍ（＝３０３ｍｍ−２９９ｍｍ）である。第２の瓦２０４の縦方向の全長と第３の瓦２０６の流れ方向の全長との差は、５３ｍｍ（＝２９９ｍｍ−２４６ｍｍ）である。第３の瓦２０６の縦方向の全長と第４の瓦２０８の流れ方向の全長との差は、５３ｍｍ（＝２４６ｍｍ−１９３ｍｍ）である。第４の瓦２０８の縦方向の全長と第５の瓦２１０の流れ方向の全長との差は、５３ｍｍ（＝１９３ｍｍ−１４０ｍｍ）である。このように、水平投影寸法で５０．５ｍｍずつ異ならしめた瓦は、瓦２０２の瓦表面２２３の縦方向に沿った長さが５３ｍｍずつ異なる。
【００６５】
さらに、第１の瓦２０２〜第５の瓦２１０を、屋根勾配が４．５／１０の屋根部１１０に配置した場合の、各々の瓦の縦方向の全長の水平投影寸法は、以下のようになる。第１の瓦２０２の縦方向の全長の水平投影寸法は、３３５．２ｍｍ（＝３５２ｍｍ／１．０５）となる。第２の瓦２０４の縦方向の全長の水平投影寸法は、２８４．８ｍｍ（＝２９９ｍｍ／１．０５）となる。第３の瓦２０６の縦方向の全長の水平投影寸法は、２３４．３ｍｍ（＝２４６ｍｍ／１．０５）となる。第４の瓦２０８の縦方向の全長の水平投影寸法は、１８３．８ｍｍ（＝１９３ｍｍ／１．０５）となる。第５の瓦２１０の縦方向の全長の水平投影寸法は、１３３．３ｍｍ（＝１４０ｍｍ／１．０５）となる。
【００６６】
このように、第１の瓦２０２〜第５の瓦２１０を準備することで、水平方向に関して水平投影寸法Ｌｈとは異なる間隙Δが生じた場合でも、第１の瓦２０２〜第５の瓦２１０のうちの間隙Δに応じた適切な瓦を選択して葺くことができる。
【００６７】
例えば、軒先部１１２から大棟１０２（棟芯）に向かって、まず、第１の瓦２０２のみを設置していく。大棟１０２に最も近くなる位置まで第１の瓦２０２のみを設置し、大棟１０２までの間隙Δが生じた場合に、間隙Δに応じて第１の瓦２０２〜第５の瓦２１０のうちの適切なものを選択して間隙Δに設置する。
【００６８】
＜＜＜瓦の適用例１＞＞＞
図１１〜図１６を参照しながら第１の実施の形態の瓦の適用例１について説明する。なお、適用例１では、尺寸モジュールの建物の単位寸法が適用されている。図１１は全体概要を説明する図である。
【００６９】
瓦の適用例１において、水平投影面上の三角領域を用いる。上述したように、三角領域は、底辺部の長さを働き幅Ｗの２．５倍とし、垂直部の長さを瓦２０２の水平投影寸法Ｌｈの３倍とした大きさを有し、２．５×働き幅Ｗ＝３×水平投影寸法Ｌｈという関係が成立する。例えば、尺寸モジュールの建物の単位寸法が適用することで、働き幅Ｗを３０３ｍｍにすることができる。
【００７０】
図１１は、屋根１００の断面図であり、屋根１００の中心である大棟１０２（棟芯）の位置をＷ／２毎にＴ１→Ｔ２→Ｔ３→Ｔ４→Ｔ５→Ｔ６のように変更することで、建物の大棟１０２から外壁６０１までの水平寸法ＬＡを順に短くした場合の各々（図１２〜図１６参照）で、選択される瓦を示す図である。すなわち、建物の大棟１０２から外壁６０１までの水平寸法ＬＡをＷ／２毎に、例えば、１５１．５ｍｍ毎に短くした場合に選択される瓦を示す図である。
【００７１】
棟芯がＴ１の位置にある建物の場合には、図１２に示すように、建物の大棟１０２から外壁６０１までの水平寸法ＬＡは、１８１８ｍｍであり、第１の瓦２０２０２が選択される。棟芯がＴ２の位置にある建物の場合には、図１３に示すように、建物の大棟１０２から外壁６０１までの水平寸法ＬＡは、１６６６．５ｍｍであり、第４の瓦２０２０８が選択される。棟芯がＴ３の位置にある建物の場合には、図１４に示すように、建物の大棟１０２から外壁６０１までの水平寸法ＬＡは、１５１５ｍｍであり、第２の瓦２０４が選択される。棟芯がＴ４の位置にある建物の場合には、図１５に示すように、建物の大棟１０２から外壁６０１までの水平寸法ＬＡは、１３６３．５ｍｍであり、第５の瓦２１０が選択される。棟芯がＴ５の位置にある建物の場合には、図１６に示すように、建物の大棟１０２から外壁６０１までの水平寸法ＬＡは、１２１２ｍｍであり、第３の瓦２０６が選択される。これらの詳細は後述する。
【００７２】
さらに、棟芯がＴ６の位置にある建物の場合には（図示せず）、建物の大棟１０２から外壁６０１までの水平寸法ＬＡは、１０６０．５ｍｍであり、第１の瓦２０２が再び選択される。
【００７３】
上述したように、瓦の設置は、まず、軒先部１１２から大棟１０２（棟芯）に向かって、第１の瓦２０２のみを設置する。大棟１０２に最も近くなる位置まで第１の瓦２０２のみを設置し、大棟１０２までの間隙Δが生じた場合には、間隙Δに応じて第１の瓦２０２〜第５の瓦２１０のうちの適切なものを選択して間隙Δに設置する。したがって、建物の大棟１０２から外壁６０１までの水平寸法ＬＡを働き幅Ｗ／２毎に異ならしめた建物の場合に、大棟１０２までの間隙Δに応じて、第１の瓦２０２〜第５の瓦２１０のうちの適切なものを選択して間隙Δに設置することができる。
【００７４】
＜＜棟芯がＴ１の位置にある場合（第１の瓦２０２の適用）＞＞
図１２は、棟芯がＴ１の位置にある場合の例を示す図であり、第１の瓦２０２が選択される。図１２の左図は、図１と同様の図であり、屋根１００の全体を示す平面図である。図１２の右図は、屋根１００の断面を示す断面図である。
【００７５】
上述したように、まず、軒先部１１２から大棟１０２（棟芯）に向かって、大棟１０２に最も近くなる位置まで第１の瓦２０２のみを設置する。大棟１０２までの間隙Δが生じた場合に、間隙Δに応じて第１の瓦２０２〜第５の瓦２１０のうちの適切なものを選択して間隙Δに設置する。
【００７６】
棟芯がＴ１の位置にある建物の場合には、建物の大棟１０２から外壁６０１までの水平寸法ＬＡは、１、８１８ｍｍである。第１の瓦２０２の水平投影寸法Ｌｈは２５２．５ｍｍである。したがって、６枚の第１の瓦２０２を設置した段階で、大棟１０２までの間隙Δは、１８１８ｍｍ−２５２．５ｍｍ×６枚＝３０３ｍｍとなる。この間隙Δは、水平投影寸法が２８４．８ｍｍの第２の瓦２０４よりも長く、縦方向の全長の水平投影寸法が３３５．２ｍｍ（縦方向の全長は３５２ｍｍ）の第１の瓦２０２が最も適切な瓦として選択される。したがって、間隙Δには、第１の瓦２０２が設置される。
【００７７】
＜＜棟芯がＴ２の位置にある場合（第４の瓦２０８の適用）＞＞
図１３は、棟芯がＴ２の位置にある場合の例を示す図であり、第４の瓦２０８が選択される。図１３の左図は、図１と同様の図であり、屋根１００の全体を示す平面図である。図１３の右図は、屋根１００の断面を示す断面図である。
【００７８】
Ｔ１の場合と同様に、まず、軒先部１１２から大棟１０２（棟芯）に向かって、大棟１０２に最も近くなる位置まで第１の瓦２０２のみを設置する。大棟１０２までの間隙Δが生じた場合に、間隙Δに応じて第１の瓦２０２〜第５の瓦２１０のうちの適切なものを選択して間隙Δに設置する。
【００７９】
棟芯がＴ２の位置にある建物の場合には、建物の大棟１０２から外壁６０１までの水平寸法ＬＡは、１、６６６．５ｍｍである。第１の瓦２０２の水平投影寸法Ｌｈは２５２．５ｍｍである。したがって、６枚の第１の瓦２０２を設置した段階で、大棟１０２までの間隙Δは、１６６６．５ｍｍ−２５２．５ｍｍ×６枚＝１５１．５ｍｍとなる。この間隙Δは、水平投影寸法が１３３．３ｍｍの第５の瓦２１０よりも長く、水平投影寸法が２３４．３ｍｍの第３の瓦２０６よりも短い。これにより、縦方向の全長の水平投影寸法が１８３．８ｍｍ（縦方向の全長は１９３ｍｍ）の第４の瓦２０８が最も適切な瓦として選択される。したがって、間隙Δには、第４の瓦２０８が設置される。
【００８０】
＜＜棟芯がＴ３の位置にある場合（第２の瓦２０４の適用）＞＞
図１４は、棟芯がＴ３の位置にある場合の例を示す図であり、第２の瓦２０４が選択される。図１４の左図は、図１と同様の図であり、屋根１００の全体を示す平面図である。図１４の右図は、屋根１００の断面を示す断面図である。
【００８１】
Ｔ１及びＴ２の場合と同様に、まず、軒先部１１２から大棟１０２（棟芯）に向かって、大棟１０２に最も近くなる位置まで第１の瓦２０２のみを設置する。大棟１０２までの間隙Δが生じた場合に、間隙Δに応じて第１の瓦２０２〜第５の瓦２１０のうちの適切なものを選択して間隙Δに設置する。
【００８２】
棟芯がＴ３の位置にある建物の場合には、建物の大棟１０２から外壁６０１までの水平寸法ＬＡは、１、５１５ｍｍである。第１の瓦２０２の水平投影寸法Ｌｈは２５２．５ｍｍである。したがって、５枚の第１の瓦２０２を設置した段階で、大棟１０２までの間隙Δは、１、５１５ｍｍ−２５２．５ｍｍ×５枚＝２５２．５ｍｍとなる。この間隙Δは、水平投影寸法が２３４．３ｍｍの第３の瓦２０６よりも長く、水平投影寸法が３３５．２ｍｍの第１の瓦２０２よりも短い。これにより、縦方向の全長の水平投影寸法が２８４．８ｍｍ（縦方向の全長は２９９ｍｍ）の第２の瓦２０４が最も適切な瓦として選択される。したがって、間隙Δには、第２の瓦２０４が設置される。
【００８３】
＜＜棟芯がＴ４の位置にある場合（第５の瓦２１０の適用）＞＞
図１５は、棟芯がＴ４の位置にある場合の例を示す図であり、第５の瓦２１０が選択される。図１５の左図は、図１と同様の図であり、屋根１００の全体を示す平面図である。図１５の右図は、屋根１００の断面を示す断面図である。
【００８４】
Ｔ１〜Ｔ３の場合と同様に、まず、軒先部１１２から大棟１０２（棟芯）に向かって、大棟１０２に最も近くなる位置まで第１の瓦２０２のみを設置する。大棟１０２までの間隙Δが生じた場合に、間隙Δに応じて第１の瓦２０２〜第５の瓦２１０のうちの適切なものを選択して間隙Δに設置する。
【００８５】
棟芯がＴ４の位置にある建物の場合には、建物の大棟１０２から外壁６０１までの水平寸法ＬＡは、１、３６３．５ｍｍである。第１の瓦２０２の水平投影寸法Ｌｈは２５２．５ｍｍである。したがって、５枚の第１の瓦２０２を設置した段階で、大棟１０２までの間隙Δは、１、３６３．５ｍｍ−２５２．５ｍｍ×５枚＝１０１ｍｍとなる。この間隙Δは、水平投影寸法は、１８３．８ｍｍの第４の瓦２０８よりも短く、縦方向の全長の水平投影寸法が１３３．３ｍｍ（縦方向の全長は１４０ｍｍ）の第５の瓦２１０が最も適切な瓦として選択される。したがって、間隙Δには、第５の瓦２１０が設置される。
【００８６】
＜＜棟芯がＴ５の位置にある場合（第３の瓦２０６の適用）＞＞
図１６は、棟芯がＴ５の位置にある場合の例を示す図であり、第３の瓦２０６が選択される。図１６の左図は、図１と同様の図であり、屋根１００の全体を示す平面図である。図１６の右図は、屋根１００の断面を示す断面図である。
【００８７】
Ｔ１〜Ｔ４の場合と同様に、まず、軒先部１１２から大棟１０２（棟芯）に向かって、大棟１０２に最も近くなる位置まで第１の瓦２０２のみを設置する。大棟１０２までの間隙Δが生じた場合に、間隙Δに応じて第１の瓦２０２〜第５の瓦２１０のうちの適切なものを選択して間隙Δに設置する。
【００８８】
棟芯がＴ５の位置にある建物の場合には、建物の大棟１０２から外壁６０１までの水平寸法ＬＡは、１、２１２ｍｍであり、第１の瓦２０２の水平投影寸法Ｌｈは２５２．５ｍｍである。したがって、４枚の第１の瓦２０２を設置した段階で、大棟１０２までの間隙Δは、１、２１２ｍｍ−２５２．５ｍｍ×４枚＝２０２ｍｍとなる。この間隙Δは、水平投影寸法が１８３．８ｍｍの第４の瓦２０８よりも長く、水平投影寸法が２８４．８ｍｍの第２の瓦２０２よりも短い。これにより、縦方向の全長の水平投影寸法が２３４．３ｍｍ（縦方向の全長は２４６ｍｍ）の第３の瓦２０６が最も適切な瓦として選択される。したがって、間隙Δには、第３の瓦２０６が設置される。
【００８９】
さらに、棟芯がＴ６の位置にある場合には（図１１参照）、建物の大棟１０２から外壁６０１までの水平寸法ＬＡは、１０６０．５ｍｍとなる（図示せず）。第１の瓦２０２の水平投影寸法Ｌｈは２５２．５ｍｍである。したがって、３枚の第１の瓦２０２を設置した段階で、大棟１０２までの間隙Δは、１０６０．５ｍｍ−２５２．５ｍｍ×３枚＝３０３ｍｍとなる。この間隙Δは、水平投影寸法が２８４．８ｍｍの第２の瓦２０４よりも長く、縦方向の全長の水平投影寸法が３３５．２ｍｍ（縦方向の全長は３５２ｍｍ）の第１の瓦２０２が最も適切な瓦として選択される。したがって、間隙Δには、第１の瓦２０２が設置される。
【００９０】
屋根の棟芯から外壁までの水平方向に沿った長さをＷ／２（＝１５１．５ｍｍ）毎に短くした建物の場合（Ｔ１→Ｔ２→Ｔ３→Ｔ４→Ｔ５→Ｔ６）には、順に、第１の瓦２０２→第４の瓦２０８→第２の瓦２０４→第５の瓦２１０→第３の瓦２０６→第１の瓦２０２→・・・のように、最も適切な瓦を選択できる。
【００９１】
このように、屋根の棟芯から外壁までの水平方向に沿った長さがＷ／２（＝１５１．５ｍｍ）毎に異なる建物の場合でも、５種類の第１の瓦２０２〜第５の瓦２１０を選択して設置できるので、５種類の瓦を予め準備することで、屋根工事を行う現場で大棟１０２までの間隙Δに瓦を適合させるための分割作業（切断加工）を不要にできる。したがって、瓦を設置する作業の効率を高めることができる。
【００９２】
＜第２態様の瓦＞
上述したように、建物の単位寸法としてメーターモジュールを採用している場合には、建物の片側の外壁６０１から他側の外壁６０２までの水平寸法ＬＢ（図１７参照）は、メーターモジュールによって決定される。例えば、水平投影寸法Ｌｈが１メートルの１／４である２５０ｍｍとすると、水平投影寸法Ｌｈで水平寸法ＬＢ（図１７参照）を決定できる。すなわち、ＬＢ＝ｎ×ＬＨとしてＬＢを決定できる。ここで例えば、瓦２０２の働き幅Ｗが３００ｍｍ（＝水平投影寸法Ｌｈの５分の６倍）である場合に、建物の片側の外壁６０１から他側の外壁６０２に向かって働き幅Ｗ（３００ｍｍ）を有する瓦２０２を順に葺いていくと、外壁５０２の近くで、水平寸法ＬＢに応じて、水平方向に関して働き幅Ｗとは異なる間隔Δ１が生ずる場合がある。この水平方向の間隔Δ１の領域は、働き幅Ｗとは異なるために、瓦２０２を葺くことができない。
【００９３】
水平方向の間隙Δ１は、働き幅Ｗの６分の１の整数倍になる。
【００９４】
したがって、瓦２０２の働き幅Ｗの６分の１の整数倍で規定した長さを有する瓦を準備することで、水平方向の間隙Δ１が生じた場合でも、間隙Δ１に応じた瓦を葺くことができる。
【００９５】
図５（ｂ１）〜（ｂ６）は、本実施形態に係る第２態様の６種類の瓦を示す平面図である。図５（ｂ１）は、瓦２０２（以下、第１の瓦２０２と称する）を示し、図５（ｂ２）は、第２の瓦３０４を示し、図５（ｂ３）は、第３の瓦３０６を示し、図５（ｂ４）は、第４の瓦３０８を示し、図５（ｂ５）は、第５の瓦３１０を示し、図５（ｂ６）は、第６の瓦３１２を示す。
【００９６】
なお、図５（ｂ１）〜図５（ｂ６）の下側は、第１の瓦２０２の大きさとの対比を容易にするために、第１の瓦２０２を含めて第２の瓦３０４〜第６の瓦３１２を示した平面図である。また、図５（ｂ２）〜図４（ｂ６）の上側は、第２の瓦３０４〜第６の瓦３１２の全体を示す平面図である。
【００９７】
第１の瓦２０２では、働き幅Ｗが３００ｍｍで、縦方向の全長が３５２ｍｍである。第２の瓦３０４では、働き幅Ｗが５０ｍｍで、縦方向の全長が３５２ｍｍである。第３の瓦３０６では、働き幅Ｗが１００ｍｍで、縦方向の全長が３５２ｍｍである。第４の瓦３０８では、働き幅Ｗが１５０ｍｍで、縦方向の全長が３５２ｍｍである。第５の瓦３１０では、働き幅Ｗが２００ｍｍで、縦方向の全長が３５２ｍｍである。第６の瓦３１２では、働き幅Ｗが２５０ｍｍで、縦方向の全長が３５２ｍｍである。このように、第１の瓦２０２〜第６の瓦３１２は、働き幅が異なり、縦方向の全長が同じ３５２ｍｍを有する。
【００９８】
第１の瓦２０２の働き幅Ｗと第６の瓦３１２の働き幅Ｗとの差は、５０ｍｍ（＝３００ｍｍ−２５０ｍｍ）である。第６の瓦３１２の働き幅Ｗと第５の瓦３１０の働き幅Ｗとの差は、５０ｍｍ（＝２５０ｍｍ−２００ｍｍ）である。第５の瓦３１０の働き幅Ｗと第４の瓦３０８の働き幅Ｗとの差は、５０ｍｍ（＝２００ｍｍ−１５０ｍｍ）である。第４の瓦３０８の働き幅Ｗと第３の瓦３０６の働き幅Ｗとの差は、５０ｍｍ（＝１５０ｍｍ−１００ｍｍ）である。第３の瓦３０６の働き幅Ｗと第２の瓦３０４の働き幅Ｗとの差は、５０ｍｍ（＝１００ｍｍ−５０ｍｍ）である。このように、第１の瓦〜第６の瓦は、働き幅Ｗが５０ｍｍずつ異なる。
【００９９】
このように、第１の瓦２０２、第２の瓦３０４〜第６の瓦３１２を準備することで、水平方向に関して水平投影寸法Ｌｈとは異なる間隙Δ１が生じた場合でも、第１の瓦２０２、第２の瓦３０４〜第６の瓦３１２のうちの間隙Δ１に応じた適切な瓦を選択して葺くことができる。
【０１００】
例えば、建物の片側の外壁６０１から他側の外壁６０２に向かって、まず、第１の瓦２０２のみを設置していく。外壁６０２に最も近くなる位置まで第１の瓦２０２のみを設置し、外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１０１】
＜＜＜瓦の適用例２＞＞＞
図１７、図１８Ａ〜図１８Ｄを参照しながら第２の実施の形態の瓦の適用例２について説明する。なお、適用例２では、メーターモジュールの建物の単位寸法が適用されている。図１７は全体概要を説明する図である。
【０１０２】
瓦の適用例２において、水平投影面上の三角領域を用いる。上述したように、三角領域は、底辺部の長さを働き幅Ｗの２．５倍とし、垂直部の長さを瓦２０２の水平投影寸法Ｌｈの３倍とした大きさを有し、２．５×働き幅Ｗ＝３×水平投影寸法Ｌｈという関係が成立する。例えば、メーターモジュールの建物の単位寸法を適用し、水平投影寸法Ｌｈが１メートルの１／４である２５０ｍｍとすると、働き幅Ｗ＝６／５×Ｌｈとなるので、働き幅Ｗを３００ｍｍにすることができる。
【０１０３】
図１７の上側面図は、第２態様の６種類の瓦を示す平面図である。図１７の下側面図は、屋根部１００の一部を拡大して示す平面図であり、建物の片側の外壁６０１から他側の外壁６０２までの水平寸法ＬＢを順に短くした場合（外壁６０２の基準位置をＸ００→Ｘ１１→Ｘ２２→Ｘ３３→Ｘ４４→Ｘ５５→Ｘ６６）であって、それに伴って瓦２０２を水平方向に最終的に葺く位置（以下、最終葺き位置と称する）がＸ１→Ｘ２→Ｘ３→Ｘ４→Ｘ５→Ｘ６である場合の各々（図１７、図１８Ａ〜図１８Ｄ参照）で、選択される瓦を示す図である。すなわち、建物の片側の外壁６０２から他側の外壁６０１までの水平寸法ＬＢを水平投影寸法Ｌｈ毎に、例えば、２５０ｍｍ毎に短くした場合に選択される瓦を示す図である。
【０１０４】
外壁６０２の基準位置がＸ００であって、最終葺き位置がＸ１にある場合には、建物の外壁６０１から外壁６０２までの水平寸法ＬＢは、３０００ｍｍであり、第１の瓦２０２が選択される。外壁６０２の基準位置がＸ１１であって、最終葺き位置がＸ１の位置にある場合には、建物の外壁６０１から外壁６０２までの水平寸法ＬＢは、２７５０ｍｍであり、第２の瓦３０４が選択される。外壁６０２の基準位置がＸ２２であって、最終葺き位置がＸ２の位置にある場合には、建物の外壁６０１から外壁６０２までの水平寸法ＬＢは、２５００ｍｍであり、第３の瓦３０６が選択される。外壁６０２の基準位置がＸ３３であって、最終葺き位置がＸ３の位置にある場合には、建物の外壁６０１から外壁６０２までの水平寸法ＬＢは、２２５０ｍｍであり、第４の瓦３０８が選択される。外壁６０２の基準位置がＸ４４であって、最終葺き位置がＸ４の位置にある場合には、建物の外壁６０１から外壁６０２までの水平寸法ＬＢは、２０００ｍｍであり、第５の瓦３１０が選択される。外壁６０２の基準位置がＸ５５であって、最終葺き位置がＸ５の位置にある場合には、建物の外壁６０１から外壁６０２までの水平寸法ＬＢは、１７５０ｍｍであり、第６の瓦３１２が選択される。外壁６０２の基準位置がＸ６６であって、最終葺き位置がＸ６の位置にある場合には、建物の外壁６０１から外壁６０２までの水平寸法ＬＢは、１５００ｍｍであり、第１の瓦２０２が選択される。これらの詳細は後述する。
【０１０５】
上述したように、瓦の設置は、まず、外壁６０１から外壁６０２に向かって、第１の瓦２０２のみを設置する。外壁６０２に最も近くなる位置まで第１の瓦２０２のみを設置し、外壁６０２までの間隙Δ１が生じた場合には、間隙Δ１に応じて第１の瓦２０２、第２の瓦３０４〜第６の瓦３１２のうちの適切なものを選択して間隙Δ１に設置する。したがって、外壁６０２までの間隙Δ１に応じて、第１の瓦２０２、第２の瓦３０４〜第６の瓦３１２のうちの適切なものを選択して間隙Δ１に設置することができる。
【０１０６】
＜＜外壁６０２の基準位置がＸ００であって、最終葺き位置がＸ０の位置にある場合（第１の瓦２０２の適用）＞＞
図１８Ａの（イ）は、外壁６０２の基準位置がＸ００であって、最終葺き位置がＸ０の位置にある場合の例を示す図であり、第１の瓦２０２が選択される。図１８Ａの（イ）は、屋根部１００の一部を拡大して示す平面図である。
【０１０７】
上述したように、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１０８】
外壁６０２の基準位置がＸ００である場合には、建物の外壁６０１から外壁６０２までの水平寸法ＬＢは、３０００ｍｍである。第１の瓦２０２の働き幅Ｗは３００ｍｍである。したがって、最終葺き位置がＸ０の位置にある建物の場合には、９枚の第１の瓦２０２を設置した段階で、外壁６０２までの間隙Δ１は、３０００ｍｍ−３００ｍｍ×９枚＝３００ｍｍとなる。この間隙Δ１は、第１の瓦２０２が最も適切な瓦として選択される。したがって、間隙Δ１には、第１の瓦２０２が設置される。
【０１０９】
＜＜外壁６０２の基準位置がＸ１１であって、最終葺き位置がＸ１の位置にある場合（第２の瓦３０４の適用）＞＞
図１８Ａの（ロ）は、外壁６０２の基準位置がＸ１１であって、最終葺き位置がＸ１の位置にある場合の例を示す図であり、第２の瓦３０４が選択される。図１８Ａの（ロ）は、屋根部１００の一部を拡大して示す平面図である。
【０１１０】
Ｘ０の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１１１】
外壁６０２の基準位置がＸ１１である場合には、建物の外壁６０１から外壁６０２までの水平寸法ＬＢは、２７５０ｍｍである。第１の瓦２０２の働き幅Ｗは３００ｍｍである。したがって、最終葺き位置がＸ１の位置にある建物の場合には、９枚の第１の瓦２０２を設置した段階で、外壁６０２までの間隙Δ１は、２７５０ｍｍ−３００ｍｍ×９枚＝５０ｍｍとなる。この間隙Δ１は、第２の瓦３０４が最も適切な瓦として選択される。したがって、間隙Δ１には、第２の瓦３０４が設置される。
【０１１２】
＜＜外壁６０２の基準位置がＸ２２であって、最終葺き位置がＸ２の位置にある場合（第３の瓦３０６の適用）＞＞
図１８Ｂの（ハ）は、外壁６０２の基準位置がＸ２２であって、最終葺き位置がＸ２の位置にある場合の例を示す図であり、第３の瓦３０６が選択される。図１８Ｂの（ハ）は、屋根部１００の一部を拡大して示す平面図である。
【０１１３】
Ｘ０及びＸ１の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１１４】
外壁６０２の基準位置がＸ２２である場合には、建物の外壁６０１から外壁６０２までの水平寸法ＬＢは、２５００ｍｍである。第１の瓦２０２の働き幅Ｗは３００ｍｍである。したがって、最終葺き位置がＸ２の位置にある建物の場合には、８枚の第１の瓦２０２を設置した段階で、外壁６０２までの間隙Δ１は、２５００ｍｍ−３００ｍｍ×８枚＝１００ｍｍとなる。この間隙Δ１は、第３の瓦３０６が最も適切な瓦として選択される。したがって、間隙Δ１には、第３の瓦３０６が設置される。
【０１１５】
＜＜外壁６０２の基準位置がＸ３３であって、最終葺き位置がＸ３の位置にある場合（第４の瓦３０８の適用）＞＞
図１８Ｂの（ニ）は、外壁６０２の基準位置がＸ３３であって、最終葺き位置がＸ３の位置にある場合の例を示す図であり、第４の瓦３０８が選択される。図１８Ｂの（ニ）は、屋根部１００の一部を拡大して示す平面図である。
【０１１６】
Ｘ０〜Ｘ２の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１１７】
外壁６０２の基準位置がＸ３３である場合には、建物の外壁６０１から外壁６０２までの水平寸法ＬＢは、２２５０ｍｍである。第１の瓦２０２の働き幅Ｗは３００ｍｍである。したがって、最終葺き位置がＸ３の位置にある建物の場合には、７枚の第１の瓦２０２を設置した段階で、外壁６０２までの間隙Δ１は、２２５０ｍｍ−３００ｍｍ×７枚＝１５０ｍｍとなる。この間隙Δ１は、第４の瓦３０８が最も適切な瓦として選択される。したがって、間隙Δ１には、第４の瓦３０８が設置される。
【０１１８】
＜＜外壁６０２の基準位置がＸ４４であって、最終葺き位置がＸ４の位置にある場合（第５の瓦３１０の適用）＞＞
図１８Ｃの（ホ）は、外壁６０２の基準位置がＸ４４であって、最終葺き位置がＸ４の位置にある場合の例を示す図であり、第５の瓦３１０が選択される。図１８Ｃの（ホ）は、屋根部１００の一部を拡大して示す平面図である。
【０１１９】
Ｘ０〜Ｘ３の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１２０】
外壁６０２の基準位置がＸ４４である場合には、建物の外壁６０１から外壁６０２までの水平寸法ＬＢは、２０００ｍｍである。第１の瓦２０２の働き幅Ｗは３００ｍｍである。したがって、最終葺き位置がＸ４の位置にある建物の場合には、６枚の第１の瓦２０２を設置した段階で、外壁６０２までの間隙Δ１は、２０００ｍｍ−３００ｍｍ×６枚＝２００ｍｍとなる。この間隙Δ１は、第５の瓦３１０が最も適切な瓦として選択される。したがって、間隙Δ１には、第５の瓦３１０が設置される。
【０１２１】
＜＜外壁６０２の基準位置がＸ５５であって、最終葺き位置がＸ５の位置にある場合（第６の瓦３１２の適用）＞＞
図１８Ｃの（へ）は、外壁６０２の基準位置がＸ５５であって、最終葺き位置がＸ５の位置にある場合の例を示す図であり、第１の瓦２０２が選択される。図１８Ｃの（へ）は、屋根部１００の一部を拡大して示す平面図である。
【０１２２】
Ｘ０〜Ｘ４の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１２３】
外壁６０２の基準位置がＸ５５である場合には、建物の外壁６０１から外壁６０２までの水平寸法ＬＢは、１７５０ｍｍである。第１の瓦２０２の働き幅Ｗは３００ｍｍである。したがって、最終葺き位置がＸ４の位置にある建物の場合には、５枚の第１の瓦２０２を設置した段階で、外壁６０２までの間隙Δ１は、１７５０ｍｍ−３００ｍｍ×５枚＝２５０ｍｍとなる。この間隙Δ１は、第６の瓦３１２が最も適切な瓦として選択される。したがって、間隙Δ１には、第６の瓦３１２が設置される。
【０１２４】
＜＜外壁６０２の基準位置がＸ６６であって、最終葺き位置がＸ６の位置にある場合（第１の瓦２０２の適用）＞＞
図１８Ｄの（ト）は、外壁６０２の基準位置がＸ６６であって、最終葺き位置がＸ６の位置にある場合の例を示す図であり、第１の瓦２０２が選択される。図１８Ｄの（ト）は、屋根部１００の一部を拡大して示す平面図である。
【０１２５】
Ｘ０〜Ｘ５の場合と同様に、まず、外壁６０１から外壁６０２に向かって、外壁６０２に最も近くなる位置まで第１の瓦２０２のみを設置する。外壁６０２までの間隙Δ１が生じた場合に、間隙Δ１に応じて第１の瓦２０２、第２の瓦３０４〜第６の瓦３１２のうちの適切なものを選択して間隙Δ１に設置する。
【０１２６】
外壁６０２の基準位置がＸ６６である場合には、建物の外壁６０１から外壁６０２までの水平寸法ＬＢは、１５００ｍｍである。第１の瓦２０２の働き幅Ｗは３００ｍｍである。したがって、最終葺き位置がＸ６の位置にある建物の場合には、４枚の第１の瓦２０２を設置した段階で、外壁６０２までの間隙Δ１は、１５００ｍｍ−３００ｍｍ×４枚＝３００ｍｍとなる。この間隙Δ１は、第１の瓦２０２が最も適切な瓦として選択される。したがって、間隙Δ１には、第１の瓦２０２が設置される。
【０１２７】
建物の外壁６０１から外壁６０２までの水平方向に沿った長さである水平寸法ＬＢを２５０ｍｍ毎に短くした建物の場合（Ｘ００→Ｘ１１→Ｘ２２→Ｘ３３→Ｘ４４→Ｘ５５→Ｘ６６）において、最終葺き位置毎に（Ｘ０→Ｘ１→Ｘ２→Ｘ３→Ｘ４→Ｘ５→Ｘ６）、順に、第１の瓦２０２→第２の瓦３０４→第３の瓦３０６→第４の瓦３０８→第５の瓦３１０→第６の瓦３１２→第１の瓦２０２→・・・のように、最も適切な瓦を選択できる。
【０１２８】
このように、屋根の外壁６０１から外壁６０２までの水平方向に沿った長さである水平寸法ＬＢが２５０ｍｍ毎に異なる建物の場合でも、６種類の第１の瓦２０２、第２の瓦３０４〜第６の瓦３１２を選択して設置できるので、６種類の瓦を予め準備することで、屋根工事を行う現場で外壁６０２までの間隙Δ１に瓦を適合させるための分割作業（切断加工）を不要にできる。したがって、瓦を設置する作業の効率を高めることができる。
【０１２９】
＜第３態様の瓦＞
上述したように、建物の単位寸法としてメーターモジュールを採用している場合には、建物の片側の外壁６０１から他側の外壁６０２までの水平寸法ＬＣ（図１９参照）は、メーターモジュールによって決定される。例えば、水平投影寸法Ｌｈが１メールの１／４である２５０ｍｍとすると、水平投影寸法Ｌｈで水平寸法ＬＣ（図１９参照）を決定できる。すなわち、ＬＣ＝ｎ×ＬＨとしてＬＣを決定できる。ここで例えば、瓦２０２の働き幅Ｗが３００ｍｍ（＝水平投影寸法Ｌｈの５分の６倍）である場合に、建物の片側の外壁６０１から他側の外壁６０２に向かって働き幅Ｗ（３００ｍｍ）を有する瓦２０２を順に葺いていくと、外壁５０２の近くで、水平寸法ＬＣに応じて、水平方向に関して働き幅Ｗとは異なる間隔Δ２が生ずる場合がある。この水平方向の間隔Δ２の領域は、働き幅Ｗとは異なるために、瓦２０２を葺くことができない。
【０１３０】
水平方向の間隙Δ２は、働き幅Ｗの６分の１の整数倍になる。
【０１３１】
したがって、瓦２０２の働き幅Ｗの６分の１の整数倍で規定した長さを有する瓦を準備することで、水平方向の間隙Δ２が生じた場合でも、間隙Δ２に応じた瓦を葺くことができる。
【０１３２】
図６の上側面図（ｃ１）〜（ｃ４）は、本実施形態に係る第３態様の４種類の瓦を示す平面図である。図６（ｃ１）は、瓦２０２（以下、第１の瓦２０２と称する）を示し、図６（ｃ２）は、第２の瓦４０４を示し、図６（ｃ３）は、第３の瓦４０６を示し、図６（ｃ４）は、第４の瓦４０８を示す。
【０１３３】
また、図６の下側面図（ｓ１）〜（ｓ４）は、第１の瓦２０２と、第２の瓦４０４〜第４の瓦４０８を組み合せた様子を示す平面図である。図６（ｓ１）は、第１の瓦２０２と第４の瓦４０８との組み合わせを示し、図６（ｓ２）は、第１の瓦２０２と第３の瓦４０６との組み合わせを示し、図６（ｓ３）は、第１の瓦２０２と第２の瓦４０４との組み合わせを示し、図６（ｓ４）は、第１の瓦２０２と第３の瓦４０６及び第４の瓦４０８との組み合わせを示す平面図である。これらについての詳細は後述する。
【０１３４】
第１の瓦２０２では、働き幅Ｗが３００ｍｍで、縦方向の全長が３５２ｍｍである。第２の瓦４０４では、働き幅Ｗが２００ｍｍで、縦方向の全長が３５２ｍｍである。第３の瓦４０６では、働き幅Ｗが１５０ｍｍで、縦方向の全長が３５２ｍｍである。第４の瓦４０８では、働き幅Ｗが１００ｍｍで、縦方向の全長が３５２ｍｍである。このように、第１の瓦２０２〜第４の瓦４０８は、働き幅が異なり、縦方向の全長が同じ３５２ｍｍを有する。
【０１３５】
第１の瓦２０２の働き幅Ｗと第２の瓦４０４の働き幅Ｗとの差は、１００ｍｍ（＝３００ｍｍ−２００ｍｍ）である。第２の瓦４０４の働き幅Ｗと第３の瓦４０６の働き幅Ｗとの差は、５０ｍｍ（＝２００ｍｍ−１５０ｍｍ）である。第３の瓦４０６の働き幅Ｗと第４の瓦４０８の働き幅Ｗとの差は、５０ｍｍ（＝１５０ｍｍ−１００ｍｍ）である。
【０１３６】
第２の瓦４０４の働き幅Ｗは、第１の瓦２０２の働き幅Ｗに対して３分の２（＝６分の４）となっており、第３の瓦４０６の働き幅Ｗは、第１の瓦２０２の働き幅Ｗに対して２分の１（＝６分の３）となっており、第４の瓦４０８の働き幅Ｗは、第１の瓦２０２の働き幅Ｗに対して３分の１（＝６分の２）となっている。
【０１３７】
このように、第１の瓦２０２、第２の瓦４０４〜第３の瓦４０８を準備することで、水平方向に関して水平投影寸法Ｌｈとは異なる間隙Δ２が生じた場合でも、第１の瓦２０２、第２の瓦４０４〜第３の瓦４０８のうちの間隙Δ２に応じた適切な瓦を１つ選択して或いは２つ以上を選択して組合せて葺くことができる。
【０１３８】
例えば、建物の片側の外壁６０１から他側の外壁６０２に向かって、まず、第１の瓦２０２のみを設置していく。外壁６０２に最も近くなる位置まで第１の瓦２０２のみを設置し、外壁６０２までの間隙Δ２が生じた場合に、間隙Δ２に応じて第１の瓦２０２、第２の瓦４０４〜第３の瓦４０８のうちの適切なものを１つ選択して或いは２つ以上を選択して組合せて間隙Δ２に設置する。
【０１３９】
なお、第３の瓦４０６の働き幅Ｗは、第１の瓦２０２の働き幅Ｗに対して２分の１（＝６分の３）となっている（本実施形態では第３の瓦４０６が半瓦に相当する）。また、第２の瓦４０４の働き幅Ｗは、第１の瓦２０２の働き幅Ｗに対して３分の２（＝６分の４）となっており、第４の瓦４０８の働き幅Ｗは、第１の瓦２０２の働き幅Ｗに対して３分の１（＝６分の２）となっている（本実施形態では第２の瓦４０４及び第４の瓦４０８が特桟瓦に相当する）。
【０１４０】
＜＜＜瓦の適用例３＞＞＞
図１９を参照しながら第３の実施の形態の瓦の適用例３について説明する。なお、適用例３では、メーターモジュールの建物の単位寸法が適用されている。図１９は全体の概要を説明する図である。
【０１４１】
瓦の適用例３において、水平投影面上の三角領域を用いる。上述したように、三角領域は、底辺部の長さを働き幅Ｗの２．５倍とし、垂直部の長さを瓦２０２の水平投影寸法Ｌｈの３倍とした大きさを有し、２．５×働き幅Ｗ＝３×水平投影寸法Ｌｈという関係が成立する。例えば、メーターモジュールの建物の単位寸法を適用し、水平投影寸法Ｌｈが１メートルの１／４である２５０ｍｍとすると、働き幅Ｗ＝６／５×Ｌｈとなるので、働き幅Ｗを３００ｍｍにすることができる。
【０１４２】
図１９は、屋根部１００の一部を拡大して示す平面図であり、建物の片側の外壁６０１から他側の外壁６０２までの水平寸法ＬＣを短くした場合（外壁６０２の基準位置をＹ１１→Ｙ２２）であって、それに伴って瓦２０２を水平方向に最終的に葺く位置（以下、最終葺き位置と称する）がＹ１→Ｙ２である場合の各々（図１７の上側面図、図１７の下側面図参照）で、選択される瓦を示す図である。すなわち、建物の片側の外壁６０２から他側の外壁６０１までの水平寸法ＬＣを水平投影寸法Ｌｈ毎に、例えば、２５０ｍｍ×４＝１０００ｍｍ短くした場合に選択される瓦を示す図である。
【０１４３】
外壁６０２の基準位置がＹ１１であって、最終葺き位置がＹ１にある場合には、建物の外壁６０１から外壁６０２までの水平寸法ＬＣは、２７５０ｍｍであり、第２の瓦４０４と第３の瓦４０６が選択される。外壁６０２の基準位置がＹ２２であって、最終葺き位置がＹ２の位置にある場合には、建物の外壁６０１から外壁６０２までの水平寸法ＬＣは、１７５０ｍｍであり、第３の瓦４０６と第４の瓦４０８が選択される。これらの詳細は後述する。
【０１４４】
上述したように、瓦の設置は、まず、外壁６０１から外壁６０２に向かって、第１の瓦２０２のみを設置する。外壁６０２に最も近くなる位置まで第１の瓦２０２のみを設置し、外壁６０２までの間隙Δ２が生じた場合には、間隙Δ２に応じて第１の瓦２０２、第２の瓦４０４〜第３の瓦４０８のうちの適切なものを１つ選択して或いは２つ以上を選択して組合せて間隙Δ２に設置する。したがって、外壁６０２までの間隙Δ２に応じて、第１の瓦２０２、第２の瓦４０４〜第３の瓦４０８のうちの適切なものを１つ選択して或いは２つ以上を選択して組合せて間隙Δ２に設置することができる。
【０１４５】
＜＜外壁６０２の基準位置がＹ１１であって、最終葺き位置がＹ１の位置にある場合（第２の瓦４０４と第３の瓦４０６の適用）＞＞
図１９の上側面図は、外壁６０２の基準位置がＹ１１であって、最終葺き位置がＹ１の位置にある場合の例を示す図であり、第２の瓦４０４と第３の瓦４０６が選択されて組合せられる。図１９の上側面図は、屋根部１００の一部を拡大して示す平面図である。
【０１４６】
上述したように、まず、外壁６０１から外壁６０２に向かって、外壁６０２に最も近くなる位置まで第１の瓦２０２のみを設置する。外壁６０２までの間隙Δ２が生じた場合に、間隙Δ２に応じて第１の瓦２０２、第２の瓦４０４〜第３の瓦４０８のうちの適切なものを１つ選択して或いは２つ以上を選択して組合せて間隙Δ２に設置する。
【０１４７】
外壁６０２の基準位置がＹ１１である場合には、建物の外壁６０１から外壁６０２までの水平寸法ＬＣは、２７５０ｍｍである。第１の瓦２０２の働き幅Ｗは３００ｍｍである。したがって、最終葺き位置がＹ１の位置にある建物の場合には、８枚の第１の瓦２０２を設置した段階で、外壁６０２までの間隙Δ２は、２７５０ｍｍ−３００ｍｍ×８枚＝３５０ｍｍとなる。この間隙Δ２は第２の瓦４０４と第３の瓦４０６が最も適切な瓦として選択されて組合せられる。したがって、間隙Δ２には、第２の瓦４０４と第３の瓦４０６が設置される。
【０１４８】
＜＜外壁６０２の基準位置がＹ２２であって、最終葺き位置がＹ２の位置にある場合（第３の瓦４０６と第４の瓦４０８の適用）＞＞
図１９の下側面図は、外壁６０２の基準位置がＹ２２であって、最終葺き位置がＹ２の位置にある場合の例を示す図であり、第３の瓦４０６と第４の瓦４０８が選択されて組合せられる。図１９の下側面図は、屋根部１００の一部を拡大して示す平面図である。
【０１４９】
上述したように、まず、外壁６０１から外壁６０２に向かって、外壁６０２に最も近くなる位置まで第１の瓦２０２のみを設置する。外壁６０２までの間隙Δ２が生じた場合に、間隙Δ２に応じて第１の瓦２０２、第２の瓦４０４〜第３の瓦４０８のうちの適切なものを１つ選択して或いは２つ以上選択して組合せて間隙Δ２に設置する。
【０１５０】
外壁６０２の基準位置がＹ２２である場合には、建物の外壁６０１から外壁６０２までの水平寸法ＬＣは、１７５０ｍｍである。第１の瓦２０２の働き幅Ｗは３００ｍｍである。したがって、最終葺き位置がＹ２の位置にある建物の場合には、５枚の第１の瓦２０２を設置した段階で、外壁６０２までの間隙Δ２は、１７５０ｍｍ−３００ｍｍ×５枚＝２５０ｍｍとなる。この間隙Δ２は第３の瓦４０６と第４の瓦４０８が最も適切な瓦として選択されて組合せられる。したがって、間隙Δ２には、第３の瓦４０６と第４の瓦４０８が設置される。
【０１５１】
建物の外壁６０１から外壁６０２までの水平方向に沿った長さである水平寸法ＬＣを２５０ｍｍ毎に短くした建物の場合（例えば外壁６０２の基準位置をＹ１１からＹ２２へ、２５０ｍｍ×４＝１０００ｍｍだけ短くした場合）において、最終葺き位置毎に（Ｙ１→Ｙ２）、第１の瓦２０２、第２の瓦４０４〜第３の瓦４０８の中から最も適切な瓦を１つ選択或いは２つ以上選択した上で組合せることができる。
【０１５２】
このように、屋根の外壁６０１から外壁６０２までの水平方向に沿った長さである水平寸法ＬＣが２５０ｍｍ毎に異なる建物の場合でも、４種類の第１の瓦２０２、第２の瓦４０４〜第３の瓦４０８を選択して或いは選択して組合せて設置できるので、４種類の瓦を予め準備することで、屋根工事を行う現場で外壁６０２までの間隙Δ２に瓦を適合させるための分割作業（切断加工）を不要にできる。したがって、瓦を設置する作業の効率を高めることができる。
【０１５３】
＜本実施形態の効果＞
本実施形態は、次の効果を奏する。
【０１５４】
屋根の棟芯から外壁までの水平方向に沿った長さがＷ／２（＝１５１．５ｍｍ）毎に異なる建物の場合でも、５種類の第１の瓦２０２〜第５の瓦２１０を選択して設置できるので、５種類の瓦を予め準備することで、屋根工事を行う現場で大棟１０２までの間隙Δに瓦を適合させるための分割作業（切断加工）を不要にできる。したがって、瓦を設置する作業の効率を高めることができる。
【０１５５】
また、屋根の外壁６０１から外壁６０２までの水平方向に沿った長さである水平寸法ＬＢが２５０ｍｍ毎に異なる建物の場合でも、６種類の第１の瓦２０２、第２の瓦３０４〜第６の瓦３１２を選択して設置できるので、６種類の瓦を予め準備することで、屋根工事を行う現場で外壁６０２までの間隙Δ１に瓦を適合させるための分割作業（切断加工）を不要にできる。したがって、瓦を設置する作業の効率を高めることができる。
【０１５６】
また、屋根の外壁６０１から外壁６０２までの水平方向に沿った長さである水平寸法ＬＣが２５０ｍｍ毎に異なる建物の場合でも、４種類の第１の瓦２０２、第２の瓦４０４〜第３の瓦４０８を選択して或いは選択して組合せて設置できるので、４種類の瓦を予め準備することで、屋根工事を行う現場で外壁６０２までの間隙Δ２に瓦を適合させるための分割作業（切断加工）を不要にできる。したがって、瓦を設置する作業の効率を高めることができる。
【０１５７】
また、本実施形態における複数種類の瓦を予め準備することで、施工現場での廃材を削減することができる。
【０１５８】
また、本実施形態における複数種類の瓦を予め準備した上で施工作業を標準化することにより、熟練工の施工技術を不要とすることができる。
【０１５９】
また、本実施形態における複数種類の瓦を予め加工するため、加工精度が向上し、それに伴い瓦を設置する作業性及び防水性能が向上する。
【０１６０】
また、本実施形態における複数種類の瓦を予め準備することで、施工現場で粉塵が発生することがない。
【０１６１】
また、本実施形態における複数種類の瓦を予め準備することで、分割作業（切断加工）による騒音により現場周辺に迷惑をかけることもない。
【０１６２】
また、屋根上で瓦の分割作業（切断加工）を行う場合、周辺の瓦表面に粉塵が付着することなる。粉塵が付着した瓦表面は滑りやすくなるため、作業者が滑落する可能性があるが、本実施形態における複数種類の瓦を予め準備することで、瓦の分割作業（切断加工）によって作業者が滑落することもない。
【０１６３】
また、施工現場で分割作業（切断加工）をすると、粉塵が発生し、清掃作業を行う必要が発生するが、本実施形態における複数種類の瓦を予め準備することで、清掃作業を行う必要がなくなる。
【符号の説明】
【０１６４】
１              瓦屋根構造
１００          屋根
２０２          瓦（第１の瓦）
２０４          第２の瓦
２０６          第３の瓦
２０８          第４の瓦
２１０          第５の瓦
３０４          第２の瓦
３０６          第３の瓦
３０８          第４の瓦
３１０          第５の瓦
３１２          第６の瓦
４０４          第２の瓦
４０６          第３の瓦
４０８          第４の瓦
Ｗ              働き幅
Ｌ              働き長さ
Ｌｈ            水平投影寸法
【要約】
【課題】  分割作業不要で葺設作業の最終段階（屋根の上端）における葺設作業の作業効率を高めることができる瓦屋根構造を提供する。
【解決手段】  桟瓦を屋根に葺設したときに、働き幅又は働き長さを水平面へ投影した水平投影寸法が建物の単位寸法又は前記建物の単位寸法の整数分の１の寸法を有しており、前記水平投影寸法に前記屋根の勾配毎の勾配の伸び率を乗じた寸法で前記屋根の上下方向に前記桟瓦の葺設位置を決定すると共に、前記屋根の上下方向又は水平方向に前記働き幅の１／６の整数倍の寸法を有する瓦を備える。
【選択図】  図１１【図１】
0005959128.tif 000004
【図２】
0005959128.tif 000005
【図３】
0005959128.tif 000006
【図４】
0005959128.tif 000007
【図５】
0005959128.tif 000008
【図６】
0005959128.tif 000009
【図７】
0005959128.tif 000010
【図８】
0005959128.tif 000011
【図９】
0005959128.tif 000012
【図１０】
0005959128.tif 000013
【図１１】
0005959128.tif 000014
【図１２】
0005959128.tif 000015
【図１３】
0005959128.tif 000016
【図１４】
0005959128.tif 000017
【図１５】
0005959128.tif 000018
【図１６】
0005959128.tif 000019
【図１７】
0005959128.tif 000020
【図１８Ａ】
0005959128.tif 000021
【図１８Ｂ】
0005959128.tif 000022
【図１８Ｃ】
0005959128.tif 000023
【図１８Ｄ】
0005959128.tif 000024
【図１９】
0005959128.tif 000025